(57)【要約】【課題】折り目付け装置に異常検知機能を設け、出力中に折り目付け装置の突発的な異常を検知して折り目付け不良な用紙を出さないようにすることを可能とする。【解決手段】折り目付け装置の駆動部に配置された異常検知手段が異常を検知したとすると、駆動用モータの動作を停止させ、画像形成装置へアラームを送り、画像形成装置の動作を停止させ、そして画像形成装置の操作表示パネルに復帰方法を表示させ、画像形成装置の前ドアを開けたことを検知し、画像形成装置内に残された用紙を抜き取り、前ドアが閉じられたことを検知し、折り目付け装置内の用紙搬送センサで紙有りを検知したかどうかを判定し、紙有りであれば再度異常停止・復帰の動作フローを繰り返し、紙無しを検知すればイニシャル動作フローへと戻る。【選択図】図１５
2011116506.tif 000002
【特許請求の範囲】
【請求項１】
用紙へ折り目を付ける折り目付け手段を備えた折り目付け装置において、
前記折り目付けにより用紙への折り目付けの動作中に、押し刃の欠けなどの突発的に発生する故障に起因する折り目付け不良な用紙の発生を検知する異常検知手段を有することを特徴とする折り目付け装置。
【請求項２】
請求項１の折り目付け装置において、前記異常検知手段で検知した折り目付け不良な用紙の発生という異常を通知する手段を有することを特徴とする折り目付け装置。
【請求項３】
請求項１または２の折り目付け装置において、前記異常検知手段で折り目付け不良な用紙の発生を検知した際に、該異常からの復帰方法を表示しあるいは他の装置で表示させるための手段を有することを特徴とする折り目付け装置。
【請求項４】
請求項１から３のいずれかの折り目付け装置において、前記異常検知手段による異常検知回数を記憶し、押し刃や受け刃の交換時期を通知するために該回数を表示しあるいは他の装置で表示させるための手段を有することを特徴とする折り目付け装置。
【請求項５】
請求項１から４のいずれかに記載の折り目付け装置を具備したことを特徴とする用紙後処理装置。
【請求項６】
請求項１から４いずれかに記載の折り目付け装置または請求項５に記載の折り目付け装置を具備したことを特徴とする画像形成装置。
【請求項７】
請求項１から４のいずれかに記載の折り目付け装置または請求項５に記載の折り目付け装置を具備したことを特徴とする画像形成システム。
【発明の詳細な説明】
【技術分野】
【０００１】
本発明は、用紙へ折り目を付ける折り目付け装置、これを具備した用紙後処理装置、折り目付け装置またはそれを具備した画像形成装置、画像形成システムに関する。
【背景技術】
【０００２】
複写機、複写機やその周辺装置から構成される画像形成システムでは、画像形成後の用紙に折り目付け処理と行うと、十分な折り目が付かないことや、折り目で画像がはがれてしまうことがある。そこで、折り処理を行う前に予め折り部に折り目を付けておく方法が既に知られている。
【０００３】
しかし、今までの折り目付け装置においては、出力後の用紙を確認しないと、狙いの位置に所定回数だけ折り目付けがされているのか分からなかった。つまり、折り目付けの不良が出力後にしか分からないという問題があった。
【０００４】
特許文献１には、中綴じ製本の品質を高める目的で、予め中綴じを行う用紙の折り部に折り目をつけておく装置が開示されている。
【０００５】
この技術は、予め折り目を付けることにより中綴じの品質を向上させる点では本願が狙いとする点と似ているが、出力後の用紙を確認しないと折り目付けの不良が分からないという点は解消できていない。
【発明の概要】
【発明が解決しようとする課題】
【０００６】
そこで本発明は、折り目付け装置に異常検知機能を設け、出力中に折り目付け装置の突発的な異常（経時的に起こる異常ではない）を検知して折り目付け不良な用紙を出さないようにすることを可能とすることを目的とする。
【課題を解決するための手段】
【０００７】
本発明の折り目付け装置うち請求項１に係るものは、用紙へ折り目を付ける折り目付け手段を備えた折り目付け装置において、前記折り目付けにより用紙への折り目付けの動作中に、押し刃の欠けなどの突発的に発生する故障に起因する折り目付け不良な用紙の発生を検知する異常検知手段を有することを特徴とする。
【０００８】
請求項２に係るものは、請求項１の折り目付け装置において、前記異常検知手段で検知した折り目付け不良な用紙の発生という異常を通知する手段を有することを特徴とする。
【０００９】
請求項３に係るものは、請求項１または２の折り目付け装置において、前記異常検知手段で折り目付け不良な用紙の発生を検知した際に、該異常からの復帰方法を表示しあるいは他の装置で表示させるための手段を有することを特徴とする。
【００１０】
請求項４に係るものは、請求項１から３のいずれかの折り目付け装置において、前記異常検知手段による異常検知回数を記憶し、押し刃や受け刃の交換時期を通知するために該回数を表示しあるいは他の装置で表示させるための手段を有することを特徴とする。
【００１１】
請求項５に係る用紙後処理装置は、請求項１から４のいずれかに記載の折り目付け装置を具備したことを特徴とする。
【００１２】
請求項６に係る画像形成装置は、請求項１から４いずれかに記載の折り目付け装置または請求項５に記載の折り目付け装置を具備したことを特徴とする。
【００１３】
請求項７に係る画像形成システムは、請求項１から４のいずれかに記載の折り目付け装置または請求項５に記載の折り目付け装置を具備したことを特徴とする。
【発明の効果】
【００１４】
本発明によれば、折り目付け不良がなくなり再通紙のための時間や用紙のロスを削減することできる。すなわち、用紙に折り目を付けて出力する最中に折り目付け装置の刃の欠けや、噛合い不良などを検知することで、折り目付け不良な用紙が発生した場合は折り目付け装置の動作を停止させるため折り目付け不良をなくすことができる。
【図面の簡単な説明】
【００１５】
【図１】本発明の一実施例に係る折り目付け装置１と、用紙搬送方向でその下流側に接続された中折り装置を内蔵した用紙処理装置１０の全体図
【図２】折り目付け装置１における折り目付け手段及びその周辺の搬送経路を示す図
【図３】折り目付け手段の通常動作を模式的に表した図
【図４】折り目付け手段の通常動作を模式的に表した図
【図５】折り目付け手段の通常動作を模式的に表した図
【図６】押し刃の動作を示す図
【図７】押し刃の動作を示す図
【図８】異常検知手段のホームポジションを示す図
【図９】同スタート時の信号を発信する箇所を示す図
【図１０】同ストップ時の信号を発信する箇所を示す図
【図１１】押し刃と受け刃の噛合いがずれたり、押し刃の欠けなどが発生したりする状態を示す図
【図１２】圧力検知手段の一例を示す図
【図１３】圧力検知手段の他例を示す図
【図１４】実施例装置のイニシャル動作フローを示す図
【図１５】実施例装置の折り目付け動作フローを示す図
【図１６】実施例装置の異常停止・復帰動作フローを示す図
【発明を実施するための形態】
【００１６】
本発明は、折り目付け装置の折り目付け処理に際して、以下の特徴を有する。すなわち、用紙に折り目を付けて出力する最中に折り目付け装置の刃の欠けや、噛合い不良などを検知することで、折り目付け不良な用紙が発生した場合は折り目付け装置の動作を停止させるため折り目付け不良をなくすことを特徴としている。
【実施例】
【００１７】
本発明の実施例について、図面を用いて以下詳細に説明する。
図１は本発明の一実施例に係る折り目付け装置１と、用紙搬送方向でその下流側に接続された中折り装置を内蔵した用紙処理装置１０の全体図であり、画像形成装置Ｘに取り付けて使用しているものとして以下に説明する。
【００１８】
画像形成装置Ｘから排出された用紙は、折り目付け装置１を通過し用紙処理装置１０に導かれる。用紙処理装置１０において用紙に中折り処理が施される場合、折り目付け装置１の折り目付け手段２によって用紙の中折りされる位置に予め折り目が付けられる。
【００１９】
図１の折り目付け装置１では、用紙上面より折り目付け用の押し刃２１が下降し、用紙下面に設置された受け刃２２とで用紙を挟み込むことにより、用紙に折り目を付ける構成となっている。
【００２０】
折り目が付けられた用紙は、用紙処理装置１０内で束として整えられ、用紙の折り目の位置において用紙処理装置１０に内蔵された中折り装置１１によって、中折り処理が施される。
【００２１】
なお以上述べた各種装置については公知のものを用いれば良いので、さらに詳細な構成の説明は省略する。
【００２２】
図２は折り目付け装置１における折り目付け手段２及びその周辺の搬送経路Ｚ１を示している。搬送経路Ｚ１は上下の搬送ガイド板Ｚ２、Ｚ３により形成されている。折り目付け手段２の用紙搬送方向上流及び下流には、折り目付け時に用紙を把持可能な用紙搬送ローラ対Ｒ１、Ｒ２がそれぞれ配置されている。そして、用紙搬送ローラ対Ｒ１及びＲ２が停止することにより折り目付け装置１内で一旦停止し折り目付けがされる。図中２０は後述する異常検知手段である。
【００２３】
図３から図５は折り目付け手段２の通常動作を模式的に表した図である。図示のように、図示しないモータと連結された押し刃２１が下降し、受け刃２２に対して垂直に当接し、プレス動作によって用紙Ｐに折り目付けした後、押し刃２１が上昇して離れていくという機構となっている。
【００２４】
図６と図７に示すように、押し刃２１の動作はその左右に配置された偏芯カム３０とカムフォロワ３１によって決定される。なお図では片側の偏芯カム３０とカムフォロワ３１のみ示してある。したがって、一方の偏芯カム３０が途中でロックしてしまうと折り目付けが正常に行われないため、折り目付け装置１の駆動部に配置された異常検知手段２０（例えば、フォトインタラプタやエンコーダ）を左右の偏芯カム３０それぞれに対して配置し、装置の折り目付け動作スタートとストップを読み取り、規定時間内に左右の偏芯カム３０に信号が発生するかどうかを検知することで動作ロックなどを読み取ることを可能としている。
【００２５】
なお図６、図７中で２３は受け台、３２は駆動用ギア、３３は異常検知手段２０を構成する検知用フィラー、３４は駆動軸である。またなお、図７では駆動用ギア３２の図示を省略してある。
【００２６】
図８は異常検知手段のホームポジションであり、左右に配置されたカム部では、図のような状態で停止している。図９ではスタート時の信号を、図１０ではストップ時の信号を発信する箇所を示している。図８から図１０に表される動作が左右のカムにおいて規定時間差内にフィラーが異常検知手段に対しに信号を与えられれば正常に動作しているということとなる。図中３５はフィラー３３の駆動ギア３２への取り付け部、３６は取り付け部３４の抜け止めのためのＥリングである。
【００２７】
しかし、図１１に示すように、押し刃２１と受け刃２２の噛合いがずれたり、押し刃２１に欠けなどが発生したりすると、用紙Ｐへの折り目付け作業が正常に行われなくなる。この場合は、既述の異常検知手段２０では検知することができない。
【００２８】
そこで図１２に示すように、受け刃２２の溝２２ａの両側に複数個の圧力検知手段４０（例えばロードセル）を受け刃２２の上面に臨むように設置し、折り目付け動作時に押し刃２１の動作で発生する圧力を検知し、受け刃２２の左右において圧力差が発生した場合は噛合いがずれていると判断して折り目付け装置１の動作を停止させ、折り目付け不良な用紙を出さないようにすることができる。また押し刃２１に欠けが発生した場合に関しても同様に、折り目付け不良が発生するため、図１３に示すように圧力検出手段４１（例えばひずみゲージ）を受け刃２２の溝部２２ａに設置し、噛合した際の圧力を読み取り、圧力が規定値に達していない（あるいは規定値をオーバーしている）場合は押し刃２１が欠けていると判断して折り目付け装置１の動作を停止させるように構成できる。
【００２９】
図１４は上述してきた実施例装置のイニシャル動作を示す図である。イニシャル動作の開始（ステップＳ１）とともに、クリース用モータをオンとし（ステップＳ２）、折り目付け手段２のホームポジション（図８参照）が規定時間内に検出されていれば（ステップＳ３）、図１５に示す折り目付け動作フローへ進む（ステップＳ４）。規定時間内に検出されていれば図１６に示す異常停止・復帰の動作フローへと進む。
【００３０】
図１５は、折り目付け動作フロー、すなわち正常に折り目付け動作を行える場合の動作フローを示す図である。折り目付け動作がスタートすると（ステップＳ１）、規定時間内に動作開始を検知すれば（ステップＳ２）、折り目付け時の受け刃の左右の圧偏差が既定値以内であるかどうかを判断し（ステップＳ３）、規定値以内であれば規定時間内に動作終了を検知したかどうかを判断し（ステップＳ４）、規定時間内に検知していれば折り目付け完了と判断し（ステップＳ５）、次の用紙の折り目付けを行うのであれば（ステップ６）、ステップ１へ戻る。なおステップ２〜４で内容がＮＯであれば後述する異常停止・復帰フローへと進み、ステップ６においては次の用紙がなければジョブを終了する（ステップ７）。
【００３１】
折り目付け不良な用紙が発生し、折り目付け装置１を停止させた際には画像形成装置Ｘにエラーアラームを送り、図示しない操作表示パネル上に折り目付け装置１の復帰方法を表示させるとよい。エラーアラームには大別すると２種類あり、通常動作時に起こったエラーと突発的に起こる押し刃２１の欠けや噛合いミスなどに分類される。通常動作で起こったエラーに関しては以下に述べる復帰方法で対処可能であるが、押し刃２１が欠けた場合は押し刃２１の交換が必要となる。
【００３２】
復帰方法は、例えば画像形成装置Ｘの図示せぬ前ドアを開け、動作停止により画像形成装置Ｘ内に残された用紙Ｐを抜き取り、前ドアを閉めると、この前ドアの開閉によって折り目付け装置１をイニシャライズする動作が行われ、復帰するように構成できる。またイニシャライズ動作を数回行っても復帰しない場合は、折り目付け装置１そのものの故障が考えられるため、再度エラーアラームを送り、画像形成装置Ｘの図示せぬ操作表示パネル上に折り目付け装置１の交換又は修理を促す表示を行わせるように構成することも可能である。
【００３３】
また、異常検知手段２０を利用して、折り目付け動作の回数をカウントすることで、折り目付け装置１の使用回数が分かるため、折り目付け装置１の交換時期を知ることができるから、交換時期が来た際にはやはり画像形成装置Ｘの操作表示パネルで交換時期が来たことを知らせる表示を行い、ユーザーへ知らせることが可能である。
【００３４】
図１６は、上述したような異常停止・復帰の動作フローを示す図である。異常検知手段２０が異常を検知したとすると（ステップＳ１）、駆動用モータの動作を停止させ（ステップＳ２）、画像形成装置Ｘへアラームを送り（ステップＳ３）、画像形成装置Ｘの動作を停止させる（ステップＳ４）。そして、画像形成装置Ｘの操作表示パネルに復帰方法を表示させ（ステップＳ５）、画像形成装置Ｘの前ドアを開けたことを検知し（ステップＳ６：検知手段は適宜公知のものを用いればよい）、画像形成装置Ｘ内に残された用紙Ｐを抜き取り（ステップＳ７）、前ドアが閉じられたことを検知し（ステップＳ８）、折り目付け装置１内の用紙搬送センサ（図示せず）で紙有りを検知したかどうかを判定し（ステップＳ９）、紙有りであればステップＳ５へ戻り、紙無しを検知すれば図１４のイニシャル動作フローへと戻る（ステップＳ１０）。なお、本図の動作フローにおいて、ステップＳ６〜Ｓ８は操作者の手になる動作に置き換えることも可能である。
【符号の説明】
【００３５】
１：折り目付け装置
２：折り目付け手段
１０：用紙処理装置
１１：中折り装置
２０：異常検知手段
２１：押し刃
２２：受け刃
２３：受け台
３０：偏芯カム
３１：カムフォロワ
３２：駆動用ギア
３３：検知用フィラー
３４：駆動軸
３５：フィラーの取り付け部
３６：Ｅリング
４０、４１：圧力検知手段
Ｘ：画像形成装置
Ｚ１：搬送経路
Ｚ２、Ｚ３：搬送ガイド板
Ｒ１、Ｒ２：用紙搬送ローラ対
Ｐ：用紙
【先行技術文献】
【特許文献】
【００３６】
【特許文献１】特開昭６０−２６２７７１号公報
【図１】
2011116506.tif 000003
【図２】
2011116506.tif 000004
【図３】
2011116506.tif 000005
【図４】
2011116506.tif 000006
【図５】
2011116506.tif 000007
【図６】
2011116506.tif 000008
【図７】
2011116506.tif 000009
【図８】
2011116506.tif 000010
【図９】
2011116506.tif 000011
【図１０】
2011116506.tif 000012
【図１１】
2011116506.tif 000013
【図１２】
2011116506.tif 000014
【図１３】
2011116506.tif 000015
【図１４】
2011116506.tif 000016
【図１５】
2011116506.tif 000017
【図１６】
2011116506.tif 000018